(57)【要約】【課題】  幼児等が過ってかぶってしまった場合でも、呼吸困難な状態を脱して、不測の事態を回避可能とする。【解決手段】  積層気泡シートを袋状に形成した袋本体１１を有する収納袋１であって、袋本体１１は、内部に収納物を収納可能な収納空間１１ａと袋本体１１の外部とを連通する通気可能な通気孔１４と、この通気孔１４を閉塞するとともに、一部が袋本体１１に連接した閉塞部１５と、を備える。【選択図】    図１
2013184743.tif 000002
【特許請求の範囲】
【請求項１】
積層気泡シートを袋状に形成した袋本体を有する収納袋であって、
前記袋本体は、
内部に収納物を収納可能な収納空間と前記袋本体の外部とを連通する通気可能な通気孔と、
この通気孔を閉塞するとともに、一部が前記袋本体に連接した閉塞部と、
を備えることを特徴とする収納袋。
【請求項２】
前記収納袋の発送に関する情報を記入可能な送り状を貼付する領域として、前記収納袋の表面に、送り状貼付領域を有し、
この送り状貼付領域の領域内に、前記通気孔及び前記閉塞部が形成された
ことを特徴とする請求項１記載の収納袋。
【請求項３】
前記通気孔が、前記送り状貼付領域の領域内に一又は二以上形成され、
前記閉塞部が、前記一又は二以上の通気孔のそれぞれに設けられた
ことを特徴とする請求項２記載の収納袋。
【請求項４】
前記閉塞部と前記袋本体との連接部分に、前記閉塞部を前記袋本体から分断するための切断部を有し、
前記送り状貼付領域に対して前記送り状が貼付されるときに、当該送り状貼付領域の領域内に形成された前記閉塞部に対しても前記送り状が貼付され、
前記閉塞部は、前記送り状が剥離されるときに、当該送り状の裏面に貼り付いた状態で前記切断部にて分断されて、前記袋本体から取り除かれる
ことを特徴とする請求項２又は３のいずれかに記載の収納袋。
【請求項５】
前記袋本体の内部空間に物を入れるために当該袋本体の一端部に形成された開口と、
この開口を覆うことで前記袋本体の内部空間に収納された物を出し入れ不能に封止する蓋部と、
この蓋部が貼付される前記袋本体の表面に付された開封防止手段とを有し、
この開封防止手段は、
前記蓋部の剥離を発見するための剥離知得機能を有するとともに、
前記開口が形成された前記袋本体の一端部を起点とし、この一端部に対して直交する方向に帯状に付された
ことを特徴とする請求項１〜４のいずれかに記載の収納袋。
【請求項６】
前記蓋部は、当該蓋部の一部を切除して前記収納袋を開封するためのジッパーを有し、
前記ジッパーは、平行した複数本の破線状に穿設された複数の切り込み孔と、これら平行した複数本の破線の間に位置する切除部とを有した
ことを特徴とする請求項５記載の収納袋。
【請求項７】
前記切除部の裏面に、当該切除部を補強するための切除用テープが貼付されており、
前記切除用テープは、所定の色で着色された
ことを特徴とする請求項６記載の収納袋。
【請求項８】
前記蓋部を前記袋本体の表面に貼着するための粘着層が、前記蓋部の裏面に形成された
ことを特徴とする請求項６又は７記載の収納袋。
【発明の詳細な説明】
【技術分野】
【０００１】
本発明は、積層気泡シートを用いて形成される収納袋に関する。
【背景技術】
【０００２】
一般に、積層気泡シートを用いて形成される収納袋が知られている。
積層気泡シートとは、ポリエチレンフィルムからなるシート材に中空状に膨出する多数の気泡を形成したもので、多数の気泡の緩衝作用によるクッション性（耐衝撃性）を有するシート材として、緩衝材や包装材として様々な分野で用いられている。
ここで、積層気泡シートには、通常、二層気泡シートと三層気泡シートとがある。二層気泡シートは、中空状に膨出する多数のキャップが形成されたキャップフィルムと、このキャップフィルムのキャップ開口側に積層されるバックフィルムとを備えた二層からなる気泡シートであり、三層気泡シートは、二層気泡シートのキャップフィルムのキャップ膨出側に更にライナーフィルムを積層した三層からなる気泡シートで、いずれも、キャップフィルムとバックフィルムにより形成される中空状の多数の気泡による良好なクッション性（耐衝撃性）を有しており、包装材・緩衝材等として広く用いられている。
【０００３】
そして、最近では、このような積層気泡シートの優れた耐衝撃性や、軽量で柔軟性に富み、折り畳みや切断・加工等も容易な材質特性等から、積層気泡シートがそのまま包装材等として使用される他、積層気泡シートを袋状・封筒状等に加工・成形して物品収納用の袋・容器として用いられることがある。
積層気泡シートを袋状・封筒状に形成した収納袋では、袋内に収納された物品は全体が積層気泡シートによって覆われた状態となるので、落下や外部からの衝撃等から有効に保護され、収納物品の破損等が確実に防止されるという安全性・信頼性に優れることに加えて、積層気泡シートからなる袋内に対象物品等をそのまま収納するだけで包装・梱包を完了でき、煩雑な包装作業や梱包作業等が不要となるという便利さ・手軽さ等もあり、安全性と利便性の両面に優れた袋材として活用が期待されている。
【０００４】
この種の積層気泡シートを用いた収納袋としては、例えば、特許文献１に提案されている「包装容器」がある。
この特許文献１に記載された包装容器は、積層気泡シートを袋状に形成したものであり、一端部側に形成された開口を介して袋状の内部に所望の物品を出し入れ可能となっており、その開口を融着して封止することにより、物品を袋状の内部に密封するものである。
このような積層気泡シートにより形成された包装容器は、緩衝性、耐衝撃性に優れ、袋の内部も透視が可能な封筒等を提供することができるもので、様々な物品の包装袋、発送袋に適した袋・封筒として利用できるようになっている。
【先行技術文献】
【特許文献】
【０００５】
【特許文献１】特開２００５−２５５２２９号公報
【発明の概要】
【発明が解決しようとする課題】
【０００６】
しかしながら、上述した特許文献１に記載のものも含めて、従来の積層気泡シートを用いた収納袋は、次のような状況が生じることがあった。
例えば、幼児や小学生などの幼い子どもが過ってその収納袋を頭からかぶってしまい、頭部全体（首から上）がすっぽり覆われてしまった場合には、呼吸が困難となって窒息するなどの危険な状態に陥る可能性があった。特に、積層気泡シートは、ポリエチレンフィルムを材料としており、通気性が殆ど無いことから、袋状の内部の気密性が高くなり、呼吸困難に陥る可能性が高かった。
【０００７】
また、ポリエチレンフィルムは、表面に水分が付着することで吸着力が増すことから、収納袋をかぶってしまった幼児等が呼吸をしたときのその呼吸に含まれる水分が収納袋の内面に付着し、その内面が幼児等の顔などに吸着して、収納袋の取り除きが困難となり、危険な状態が継続してしまうという問題があった。
【０００８】
本発明は、上記の事情にかんがみなされたものであり、幼児等が過ってかぶってしまった場合でも、呼吸困難に陥って不測の事態が発生する危険な状況を回避可能とする収納袋の提供を目的とする。
【課題を解決するための手段】
【０００９】
この目的を達成するため、本発明の収納袋は、積層気泡シートを袋状に形成した袋本体を有する収納袋であって、袋本体は、内部に収納物を収納可能な収納空間と袋本体の外部とを連通する通気可能な通気孔と、この通気孔を閉塞するとともに、一部が袋本体に連接した閉塞部と、を備える構成としてある。
【発明の効果】
【００１０】
本発明の収納袋によれば、袋状の内部空間と外部とを連通する通気可能な通気孔が設けられているので、幼児等が過ってかぶった場合でも、呼吸のための吸気経路が通気孔を通して確保されることから、不測の事態に陥る状況を回避できる。
【図面の簡単な説明】
【００１１】
【図１】本発明の収納袋の一実施形態に係る概略構成を示す説明図であり、（ａ）は収納袋の正面図、（ｂ）は同じく収納袋の背面図である。
【図２】閉塞部の形状の例を示す正面図であり、（ａ）は先丸Ｖ字状の閉塞部、（ｂ）は両側角付きのＵ字状の閉塞部である。
【図３】本発明の収納袋の一実施形態に係る概略構成を示す説明図であり、（ａ）は送り状が貼付された状態を示す収納袋の背面図、（ｂ）は送り状を半分程度剥離した状態を示す収納袋の背面図、（ｃ）は送り状を剥離した後の状態を示す収納袋の背面図である。
【図４】本発明の収納袋の一実施形態に係る概略構成を示す説明図であり、（ａ）はジッパーが形成された収納袋の背面図、（ｂ）は蓋部を折り曲げ部から折り曲げて開口を閉塞した状態を示す収納袋の背面図、（ｃ）はジッパーを半分程度引き上げて切除した状態を示す収納袋の背面図、（ｄ）はジッパーを完全に切除した後の状態を示す収納袋の背面図である。
【図５】ジッパーを構成する切り込み孔の形状の例を示す要部説明図であり、（ａ）は切り込み孔の形状が直線状である場合の収納袋の要部背面図、（ｂ）は直線状の切り込みに斜線状の切り込みがさらに形成された場合の収納袋の要部背面図、（ｃ）は切り込み孔の形状がＹ字状である場合の収納袋の要部背面図である。
【図６】本発明の一実施形態に係る収納袋を構成する積層気泡シートの例を模式的に示す説明図であり、（ａ）は二層気泡シートの、（ｂ）は三層気泡シートの概略要部斜視図である。
【図７】本発明の一実施形態に係る収納袋を構成する積層気泡シートの積層構造を模式的に示す概略断面図である。
【図８】本発明の一実施形態に係る収納袋を構成する積層気泡シートの製造装置の一例を模式的に示す説明図である。
【図９】本発明の一実施形態に係る収納袋の製袋工程の一例を模式的に示す説明図である。
【発明を実施するための形態】
【００１２】
以下、本発明に係る収納袋の実施形態について、図面を参照して説明する。
［収納袋］
図１は、本発明の一実施形態に係る収納袋の概略構成を示す説明図であり、（ａ）は収納袋の正面図、（ｂ）は同じく収納袋の背面図である。
同図に示すように、本実施形態の収納袋１は、袋全体が積層気泡シート２を用いて袋状や封筒状に形成されるもので、袋本体１１と、袋本体１１の開口１１ｂを覆うための蓋部１２とを備えている。
また、袋本体１１の背面側表面には、送り状（後述）の貼付範囲として点線等により囲まれた送り状貼付領域１３が設けられ、この送り状貼付領域１３の領域内には、一又は二以上の通気孔１４と、この通気孔１４を閉塞する閉塞部１５が形成されている。
さらに、袋本体１１の正面側表面や背面側表面には、第三者により蓋部１２が開封されたことを確実に発見可能とするための開封防止テープ１６が貼付されている。
これら送り状貼付領域１３、通気孔１４、閉塞部１５、開封防止テープ１６の詳細については、後述する。
【００１３】
袋本体１１は、全体が積層気泡シート２により形成されて収納袋１の本体を構成している。
具体的には、袋本体１１は、積層気泡シート２が、内部に所定の収納物を収納可能な収納空間１１ａを有する袋状・封筒状等に形成され、袋の一側（図面上側）に開口１１ｂが形成されるようになっている。
開口１１ｂは、袋本体１１の収納空間１１ａと連通しており、この開口１１ｂを介して、収納空間１１ａに対して所定の収納物を出し入れすることができる。
また、この開口１１ｂの袋一側（図面背面側）の縁部は、袋他側（図面正面側）の縁部よりも長く形成され、開口縁部が舌片状に延出する蓋部１２を構成している。
この舌片状の蓋部１２が袋他側（正面側）に折り曲げられることにより、開口１１ｂが覆い隠されて、袋内の収納空間１１ａに収納された収納物を出し入れ不能に封止するようになっている。
【００１４】
なお、収納袋１は、図１（ａ）、（ｂ）においては、平型封筒状に形成されているが、この形状に限るものではなく、例えば、マチ付きの角底封筒状に形成したものであってもよい。
また、同図に示すような袋本体１１は、例えば、積層気泡シート２を二つ折りにして、その両側部をヒートシールすることにより、一側（図面上側）に開口した封筒形状の収納袋１を製袋することができる。このような袋本体１１の製造（製袋）方法については、後に更に詳述する（図９参照）。
【００１５】
［送り状貼付領域、通気孔及び閉塞部］
送り状貼付領域１３は、前述したように、袋本体１１の背面側表面のうち送り状を貼付する範囲として指定された領域である。この送り状貼付領域１３は、例えば、実線，点線，破線，鎖線等によって囲まれた範囲として指定したり、あるいは、袋本体１１の色以外の色（例えば、赤色や青色など）で塗り潰された矩形のエリア内として指定したりすることができる。
【００１６】
送り状は、収納袋１（又は収納物が収納された収納袋１）の発送に必要な情報を記入可能なラベル（紙片）である。この発送に関する情報には、例えば、発送元の氏名や名称、住所、電話番号、発送先の氏名や名称、住所、電話番号、発送日時、発送業者名などが含まれる。なお、発送には、宅配業者による宅配や、日本郵便株式会社による郵送などが含まれる。
送り状の裏面には、この送り状を送り状貼付領域１３に貼付するための接着剤が塗布されている。接着剤は、送り状の裏面の全体又は一部に塗布することができる。ここで、送り状の裏面の一部に接着剤を塗布する場合には、少なくとも、その送り状の裏面のうち、閉塞部１５に対応する位置にその接着剤が塗布される。これにより、送り状を剥離するときに、閉塞部１５も一緒に取り除くことができる。この送り状の剥離の詳細については、後述する。
【００１７】
送り状の端部には、この送り状を剥離容易とするための剥離開始部を設けることができる（図３（ａ）、（ｂ）参照）。剥離開始部とは、送り状の端部、角部、又は突出部であって、裏面に接着剤が塗布されていない部分をいい、指でつまむことで容易に立ち上げ可能な部分である。この剥離開始部を立ち上げた後、収納袋１を押さえつつ、送り状を引き上げることにより、この送り状を容易に収納袋１から剥離することができる。
なお、図３（ａ）、（ｂ）においては、剥離開始部の形状として、矩形状の送り状の角部から凸状に突き出た突出部としているが、この形状に限るものではなく、凸状に突き出ていない送り状の角部や端部を剥離開始部とすることもできる。
【００１８】
通気孔１４は、袋本体１１の内部空間（収納空間１１ａ）と当該袋本体１１の外部とを連通させて通気可能とする連通孔である。
この通気孔１４は、収納袋１の背面側表面のうち送り状貼付領域１３として指定された領域内に形成されている。
なお、通気孔１４は、図１（ｂ）等においては、三つ形成されているが、三つに限るものではなく、任意の数だけ形成することができる。
また、通気孔１４と開口１１ｂは、袋本体１１の収納空間１１ａと当該袋本体１１の外部とを連通させている点で共通しているが、開口１１ｂは、袋本体１１の端辺に形成されており、収納物を出し入れ可能な大きさに形成されているのに対し、通気孔１４は、袋本体１１の表面中程に形成されており、収納物の出し入れを目的としておらず、非常時に通気可能な程度の大きさに形成されている点で相違する。
【００１９】
閉塞部１５は、通気孔１４を開閉可能に閉塞する弁状部分であって、一部が袋本体１１に連接している。
この閉塞部１５は、袋本体１１の収納空間１１ａに収納物が収納されていない場合においては、通気孔１４を閉塞した状態となっている。これに対して、袋本体１１の収納空間１１ａに収納物を収納した場合（特に、球状の単体を収納空間１１ａに入れた場合）には、袋本体１１がその収納物の大きさに応じて膨張し、通気孔１４の周囲が隆起し、閉塞部１５が起き上がった状態となって、通気孔１４が開放する。また、閉塞部１５は、ポリエチレンシートで形成された袋本体１１の一部であるため、人が容易に持ち上げたり押し込んだりすることができ、これにより通気孔１４を開放することができる。このため、幼児等が過って収納袋１を頭からかぶった場合でも、人が閉塞部１５をつまんで持ち上げたりあるいは押し込んだりして通気孔１４を開放することにより、この通気孔１４を通して外気を取り込むことが可能となって幼児等の呼吸経路が確保されるので、窒息等の危険な事態を回避することができる。
【００２０】
なお、通気孔１４及び閉塞部１５の形状は、任意の形状とすることができる。具体的には、例えば、図２（ａ）、（ｂ）に示すように、Ｖ字状（同図（ａ）は先丸のＶ字状）、Ｕ字状（同図（ｂ）は両側角付きのＵ字状）、Ｃ字状、コの字状、台形状などとすることができる。
また、閉塞部１５は、通気孔１４を閉塞するものであるため、通気孔１４の数と同数設けられる。
【００２１】
閉塞部１５と袋本体１１との連接部分には、その閉塞部１５を袋本体１１から分断するための切断部１５ａが形成されている。
切断部１５ａは、例えば複数の小孔がミシン目のように破線状に穿設された部分であって、これら小孔の穿設方向に閉塞部１５を引き裂くことで、この閉塞部１５を袋本体１１から分断できる。この閉塞部１５の分断については、後記の「送り状及び閉塞部の剥離方法」にて詳述する。
【００２２】
［開封防止テープ］
開封防止テープ１６は、袋本体１１の正面側表面や背面側表面に貼着された蓋部１２が第三者により剥離されたことを容易に発見可能とするために、それら正面側表面などに貼付された帯状の部材である。
開封防止テープ１６は、蓋部１２の剥離を発見可能とするための機能を有している。この機能には、例えば、当該開封防止テープ１６に対して一度蓋部１２の貼着が行われると当該蓋部１２を剥離した後の再度の貼着が不可能となる機能や、蓋部１２の剥離にともなって開封防止テープ１６の表面に所定の文字（例えば、「開封厳禁」、「OPEND」など）が出現する機能、蓋部１２の剥離にともなって開封防止テープ１６の表面に印字されている所定の文字が蓋部１２の裏面の蓋部貼着部１２ａ（接着剤などが塗布された部分）に転写される機能などがある。これらの機能を発揮することにより、収納袋１の正当な所持者は、第三者により蓋部１２が開封されたことを確実に発見できる。
【００２３】
また、開封防止テープ１６は、袋本体１１の正面側表面や背面側表面において、開口１１ｂが形成された袋本体１１の端辺から直交する方向（図１（ａ）、（ｂ）に示す縦方向）に帯状に貼付されている。これは、蓋部１２により開口１１ｂを封止する際に、その蓋部１２がどの位置で折り曲げられても、蓋部貼着部１２ａを開封防止テープ１６に必ず貼着させるようにするためである。例えば、蓋部１２を開口１１ｂ付近で折り曲げた場合には、蓋部貼着部１２ａは、袋本体１１の正面側表面における開口１１ｂの近傍に貼着されるが、このとき、その開口１１ｂの付近に貼付された開封防止テープ１６にも貼着される。また、袋本体１１の中程で折り曲げた場合には、蓋部貼着部１２ａは、袋本体１１の正面側表面のうち開口１１ｂから離れたところ（正面側表面の下部）に貼着されるが、これとともに、その正面側表面の下部に貼付された開封防止テープ１６にも貼着される。さらに、袋本体１１の下部で折り曲げた場合には、蓋部貼着部１２ａは、袋本体１１の背面側表面に貼着されるが、これとともに、その背面側表面に貼付された開封防止テープ１６にも貼着される。よって、蓋部１２をどの位置で折り曲げても、蓋部貼着部１２ａを開封防止テープ１６に必ず貼着させることができるので、第三者による蓋部１２の剥離を必ず発見できる。
【００２４】
なお、図１（ａ）、（ｂ）においては、開封防止テープ１６が、開口１１ｂが形成された袋本体１１の端辺を起点とし、袋本体１１の底辺（開口１１ｂに対向する辺）を終点として、帯状に貼付されているが、これらに限るものではなく、例えば、開封防止テープ１６の起点を袋本体１１の端辺から離間した位置としたり、あるいは、その終点を袋本体１１の底辺から離間した位置としたりすることもできる。
また、図１（ａ）、（ｂ）においては、開封防止テープ１６が袋本体１１の正面側表面と背面側表面のそれぞれ一箇所ずつに貼付されているが、一箇所ずつに限るものではなく、それぞれ二箇所以上に貼付することもできる。
さらに、本実施形態においては、第三者により蓋部１２が開封されたことを発見する手段として開封防止テープ１６を用いることとしたが、その手段は、開封防止テープ１６に限るものではなく、例えば、開封防止フィルムや開封防止塗料などであってもよい。本実施形態においては、これらを総称して「開封防止手段」というものとする。
【００２５】
ここまで、本実施形態の収納袋の構成について説明したが、この収納袋は、使用方法にも特徴がある。この収納袋の使用方法について、次に説明する。
【００２６】
［収納袋の使用方法］
収納袋の使用方法を説明するにあたり、この収納袋の特徴をより明確にするために、当該収納袋が使用される状況ごとに場合分けして説明する。
【００２７】
（１）物を収納していない場合
収納袋１の収納空間１１ａに物が収納されておらず、かつ、送り状貼付領域１３に送り状が貼付されていない場合、閉塞部１５は、通気孔１４を塞いだ状態であって、かつ、外部から目視可能な状態（外部に露出した状態）となっている。この状態で、幼児等が過ってその収納袋１をかぶってしまったときには、閉塞部１５と袋本体１１との連接部分を折り曲げるなどして閉塞部１５を立ち上げて（又は押し込んで）通気孔１４を開放することで、収納袋１の内部と外部が連通して、空気の通り道ができ、幼児等の呼吸経路が確保されるので、不測の事態を回避できる。
【００２８】
（２）収納袋を物の発送に用いる場合
この場合は、収納袋１の収納空間１１ａに物が収納され、蓋部１２が袋本体１１の正面側に折り曲げられて蓋部貼着部１２ａが正面側表面に貼着され、送り状が送り状貼付領域１３に貼付される。このとき、通気孔１４と閉塞部１５が送り状により覆い隠されるので、収納空間１１ａに収納された収納物が通気孔１４から外部に放出されることがない。
また、収納袋１への物の収納や送り状の貼付といった作業の段階においては、当該収納袋１が発送者の監視下に置かれているため、幼児等が過ってかぶってしまうという事態は起こりにくい。
さらに、発送業者が収納袋１を発送している途上においては、その収納袋１を幼児等が手にする事態は想定できないため、通気孔１４や閉塞部１５が送り状により覆い隠されていても問題はない。
【００２９】
（３）収納袋が発送先に届いた場合
この場合、発送先では、個人情報の漏洩を防止するなどの理由により、送り状が剥離される。このとき、後述するように閉塞部１５も一緒に取り除かれるので、通気孔１４が開放される。よって、この発送先にて幼児等が過って収納袋１をかぶってしまった場合でも、呼吸経路が確保されて、不測の事態を回避できる。
この送り状の剥離について、次の「送り状及び閉塞部の剥離方法」にて説明する。
【００３０】
［送り状及び閉塞部の剥離方法］
図３（ａ）に示すように、収納袋１の送り状貼付領域１３には、送り状が貼付されている。
送り状の端部には、剥離開始部が形成されており、この剥離開始部を起点として、送り状の剥離が開始される。
人が剥離開始部をつまんで引き上げることにより、送り状が次第に収納袋１から剥がされていくと、送り状の裏面のうち送り状貼付領域１３に貼付している面が次第に小さくなっていく。そして、この貼付している面のうちの一辺が閉塞部１５に差し掛かると、この閉塞部１５が送り状の裏面に貼り付いた状態で、その送り状とともに取り除かれる。ここで、閉塞部１５はもともと袋本体１１と連接しているが、送り状の剥離にともなって切断部１５ａが引き裂かれていくので、閉塞部１５が袋本体１１から分断されるとともに送り状に貼り付いた状態で袋本体１１から取り除かれる（同図（ｂ））。
【００３１】
送り状が完全に剥離されると、すべての通気孔１４から閉塞部１５が取り除かれる。そして、それらすべての通気孔１４が開放されて、袋本体１１の内部空間（収納空間１１ａ）と外部とがそれら通気孔１４を介して連通し、通気可能な状態となる（同図（ｃ））。
これにより、発送先で仮に幼児等が過って収納袋１をかぶってしまった場合でも、通気孔１４を通して呼吸経路が確保されているので、不測の事態を回避できる。
なお、図３（ｃ）においては、通気孔１４の中に積層気泡シート２のキャップ２１の形状が点線で図示されているが、これは、収納袋１の正面側の積層気泡シート２におけるキャップ２１の形状が表れたものである。
また、本実施形態の収納袋１においては、蓋部１２を袋本体１１の表面に貼着して封緘した後、蓋部１２の一部を切除して収納袋１を開封可能とするためのジッパー３１を、その蓋部１２に形成することができる。このジッパー３１の構成について、次に説明する。
【００３２】
［ジッパーの構成］
本実施形態の収納袋１における蓋部１２には、図４（ａ）、（ｂ）に示すように、ジッパー３１を形成することができる。
ジッパー３１は、平行した二本の破線状に穿設された複数の切り込み孔からなる切断部３１ａと、この切断部３１ａである二本の破線の間に位置する切除部３１ｂとを有している。
ここで、切断部３１ａである二本の破線は、一方の端部が、いずれも蓋部１２の左辺又は左辺近傍に位置し、他方の端部が、いずれも蓋部１２の右辺又は右辺近傍に位置している。また、切断部３１ａである二本の破線の間に位置する帯状の切除部３１ｂも、一方の端部が蓋部１２の左辺に位置し、他方の端部が蓋部１２の右辺に位置している。
【００３３】
なお、切断部３１ａは、上述したように、複数の切り込み孔が破線状に形成されているものであればよく、この破線を構成する切り込み孔の一つ一つの形状は、任意の形状とすることができる。具体的には、例えば、図５（ａ）〜（ｃ）に示すように、その切り込み孔の形状を直線状としたり（同図（ａ））、直線状の切り込みに斜線状の切り込みが重ねて形成された形状としたり（同図（ｂ））、Ｙ字状としたり（同図（ｃ））することができる。
また、図５（ａ）〜（ｃ）においては、切り込み孔の形状を視認容易とするために、切除用テープ３２及び粘着層３３の図示を省略してある。
【００３４】
ジッパー３１の切除部３１ｂの裏面には、切除用テープ３２が貼付されている。
切除用テープ３２は、切除部３１ｂを補強するための帯状の部材であって、その切除部３１ｂを切除するときに一緒に剥がされる。
この切除用テープ３２は、人の力で容易に引き裂くことのできない程度の硬質な材料で形成されている。このような切除用テープ３２を切除部３１ｂに貼付する理由は、切除部３１ｂが切断部３１ａに沿って最後まで切除可能とするためである。すなわち、切除部３１ｂは、蓋部１２の一部であってポリエチレン等で形成されていることから、この切除部３１ｂを単体で引きちぎろうとすると、切断部３１ａの破線方向とは異なる方向に引きちぎられてしまい、切除部３１ｂを最後まで引きちぎることができないことが多い。そこで、切除部３１ｂの裏面に切除用テープ３２を貼付して補強することにより、切除部３１ｂと切除用テープ３２を一緒に剥がしたときに、その切除用テープ３２の両辺二辺に沿って切断部３１ａが切断されるため、この切断部３１ａに沿って切除部３１ｂを最後まで引きちぎることができる。
【００３５】
また、切除用テープ３２には、青色や赤色などの所定の色が着色されている。このように切除用テープ３２が着色されている理由は、当該切除用テープ３２の存在を明示するとともに、切除部３１ｂの位置を明示するためである。詳述すると、蓋部１２の材質がポリエチレン等であることから、切り込み孔からなる切断部３１ａは、目視では確認しにくくなっている。このため、切除部３１ｂを切除しようとして蓋部１２の端部をつまんだときに切除部３１ｂ以外の部分をつまんでしまうと、その切除部３１ｂ以外の部分を引きちぎろうとしたときに両側に切断部３１ａが無いために引きちぎることができず、収納袋１を開封できないという事態が想定される。そこで、本実施形態の収納袋１は、切除部３１ｂの裏面に色付きの切除用テープ３２を貼付することとした。これにより、切除用テープ３２の色が透明の蓋部１２（切除部３１ｂ）を介して外部から容易に視認できるため、切断部３１ａや切除部３１ｂが蓋部１２に形成されていることが容易に確認でき、切除部３１ｂの端部も容易に確認可能となる。よって、切除部３１ｂの端部を間違えることなく持ち上げることができ、切断部３１ａに沿って切除部３１ｂを引きちぎることができ、収納袋１の開封が可能となる。
なお、図４（ａ）〜（ｃ）において、切除用テープ３２は、蓋部１２の裏面に貼付されているが、裏面に限るものではなく、表側の面に貼付することもできる。つまり、切除用テープ３２は、蓋部１２の裏面又は表側の面の一方又は双方に貼付することができる。
【００３６】
蓋部１２の上部３４（蓋部１２の延出方向端辺と切断部３１ａ（蓋部１２の延出方向端辺に近い方の切断部３１ａ）との間）の裏面には、粘着層３３が形成されている。
粘着層３３は、蓋部１２を折り曲げ部３５で折り曲げて袋本体１１の表面に貼着するときに、それら蓋部１２と袋本体１１の表面とを接着する。
この粘着層３３は、例えば、再活性接着剤を用いて形成することができる。再活性接着剤とは、水を溶媒とする水系接着剤のうち、水分蒸発と再湿によって硬化と溶融とを可逆的に起こす接着剤をいう。この再活性接着剤を粘着層３３として蓋部１２の上部３４の裏面に塗布しておき、必要なときに水を付けて濡らすことにより、液化して接着機能を発揮させることができる。この再活性接着剤は、例えば、切手の裏面などに使用されている。
【００３７】
また、粘着層３３は、例えば、粘着剤を用いて形成することができる。
粘着剤は、通常状態で粘着性を有した接着剤であって、その粘着性により接触した物体同士を接着する機能を有している。
なお、粘着層３３を形成する材料として、粘着剤のように通常状態で粘着性の高い材料を用いた場合は、その粘着層３３の表面に剥離層（図示せず）を設けることが望ましい。剥離層は、紙などの基材の表面に剥離加工を施した部材（いわゆる剥離紙など）である。この剥離層を積層することにより、粘着層３３を保護するとともに、蓋部１２が袋本体１１の裏面以外の箇所に誤って接着されるといった事態を回避できる。
【００３８】
［ジッパーの切除方法］
ジッパー３１は、次の手順で切除することができる。
前提として、収納袋１においては、蓋部１２が折り曲げ部３５にて折り曲げられ、粘着層３３の粘着により袋本体１１の正面側表面に貼着され、これにより、収納袋１が封緘されているものとする（同図（ｂ））。
【００３９】
この封緘された収納袋１を開封する場合、切除部３１ｂの端部と切除用テープ３２の端部とを重ねながらつまんで持ち上げ、この状態でこれら切除部３１ｂと切除用テープ３２とをさらに引き上げると、平行した二本の切断部３１ａが切除用テープ３２の両辺に沿って破線方向に切断され、切除部３１ｂと切除用テープ３２が次第に蓋部１２から剥がされていく（同図（ｃ））。
切除部３１ｂと切除用テープ３２が完全に取り除かれると、蓋部１２の上部３４と下部３６が分離し、蓋部１２の下部３６が折り曲げ部３５を中心として上方へ回動可能となり、この蓋部１２の下部３６を上方へ起こすことにより、開口１１ｂが開状態となる（同図（ｄ））。一方、蓋部１２の上部３４は、粘着層３３の粘着により袋本体１１の正面側表面に貼着したままの状態となる。
このような手順でジッパー３１の切除部３１ｂを切除することにより、封緘されていた収納袋１を開封することができる。
【００４０】
［積層気泡シート］
以上のように、本実施形態の収納袋１は、袋全体の全ての部分が、ポリエチレンフィルムからなる積層気泡シート２を用いて形成される。
ここで、積層気泡シート２の材料としては、ポリエチレン（ＰＥ）やポリプロピレン（ＰＰ）を含むポリオレフィンを用いることができる。
【００４１】
また、ポリエチレンフィルムを用いて積層気泡シート２を形成する場合、そのポリエチレンフィルムの材料となるポリエチレン系樹脂としては、高密度ポリエチレン（ＨＤＰＥ）、低密度ポリエチレン（ＬＤＰＥ）、直鎖状低密度ポリエチレン（ＬＬＤＰＥ）、直鎖状超低密度ポリエチレン（ＬＶＬＤＰＥ）、エチレン−酢酸ビニル重合体などが例示できる。また、これらの材料を任意に混合して用いてもよい。
また、ポリエチレンフィルムの材料となる樹脂組成物には、収納袋１の用途に応じて、非ハロゲン系の高級脂肪酸、高級脂肪族アミド、金属せっけん、グリセリンエステル等の滑剤、等のアンチブロッキング剤、フェノール系、りん系、ＢＨＴ等の酸化防止剤、ベンゾフェノン、ベンゾトリアゾール、ＨＡＬＳ等の紫外線吸収剤、タルク、珪藻土、マイカ等の無機・有機充填剤、帯電防止剤、界面活性剤などを添加することができる。
【００４２】
収納袋１の全ての部分を、このようなポリエチレンフィルムからなる積層気泡シート２を用いて形成することで、収納袋１に収納された物品全体が積層気泡シート２によって覆われることになり、落下や外部からの衝撃等から有効に保護され、収納物品の破損等が確実に防止される。
また、収納袋内に対象物品をそのまま収納するだけで包装・梱包が完了することになるため、煩雑な包装作業や梱包作業等も不要となる。
また、収納物の上下左右全体が保護された状態となるので、収納物を収納した収納袋１を複数積み重ねて収納したり、載置面に複数並べて載置・収納することも可能となり、安全かつ効率的な収納物の収納・運搬が行えるようになる。
【００４３】
また、ポリエチレンフィルムからなる積層気泡シート２は、一般に無色透明，有色透明，半透明のシートであり、積層気泡シート２からなる収納袋１は袋の内部が外側から透視可能となるため、収納袋１に収納した収納物の有無や外観等が一目で分かり、収納物の収納忘れや収納漏れ，収納違い等も確実に防止できるようになる。
また、全体が積層気泡シート２で形成される収納袋１は、袋の端部や縁部等を手で引き裂いて袋を容易に開封することが可能となり、積層気泡シート２の表面に合成紙が貼着された従来の収納袋のように、ナイフやカッター，ハサミ等の刃物や器具等を用いなければ袋を開封することができないものと比較して、袋の開封性が格段に向上させることができる。なお、積層気泡シート２はミシン目や切れ込み，ノッチ等の加工を施すことも容易であり、積層気泡シート２で構成された収納袋１の任意の箇所にミシン目や切れ込み，ノッチ等を形成することができる。これにより、形成したミシン目や切れ込み，ノッチに沿って積層気泡シート２を容易かつ正確に切断・開封することができ、収納袋１の易開封性を更に向上させることができる。
さらに、このように収納袋１の全体が積層気泡シート２で構成されることで、例えば、収納袋１が使用される場合において、表層を紙で形成した従来の緩衝封筒などと比較して、水分や油、汚れ等に強いものとすることができ、また、収納袋１の使用後においても、紙層の分離や除去等が一切必要なく、収納袋１をそのままリサイクルすることができ、表面に紙等を積層・貼着した従来の緩衝封筒のように焼却処分等する必要もなくなる。
【００４４】
図６は、本実施形態に係る収納袋１を構成するポリエチレンフィルムからなる積層気泡シート２の例を模式的に示す説明図であり、（ａ）は二層気泡シートの、（ｂ）は三層気泡シートの概略要部斜視図である。
また、図７は、本実施形態に係る収納袋１を構成する積層気泡シート２の積層構造を模式的に示す概略断面図である。
本実施形態に係る収納袋１には、図６（ａ），図７（ａ）に示す二層気泡シート２Ａ、図６（ｂ），図７（ｂ）に示す三層気泡シート２Ｂのいずれも用いることができる。
二層気泡シート２Ａは、中空状に膨出する多数のキャップ２１が形成されたキャップフィルム２２と、キャップフィルム２２のキャップ開口側に積層されるバックフィルム２３とを備える二層構造の積層気泡シート２である。
三層気泡シート２Ｂは、さらに、キャップフィルム２２のキャップ膨出側にライナーフィルム２４を積層した三層構造の積層気泡シート２である。
本実施形態の収納袋１は、上記のような二層気泡シート２Ａ、三層気泡シート２Ｂのいずれを用いても形成・製袋することができる。
【００４５】
［収納袋の製造方法］
つぎに、本実施形態に係る収納袋１の製造方法について、図８及び図９を参照して説明する。
図８は、積層気泡シートの製造装置の一例を示す説明図であり、本実施形態の収納袋１に用いる積層気泡シート２は、この図に示すような製造装置５を用いて製造することができる。
【００４６】
ここで、製造装置５で製造する積層気泡シート２の一例として、図６（ｂ），図７（ｂ）に示した積層構造のシートを例にとって説明する。
積層気泡シート２の各層の材料の一例を挙げると、例えば、下記のものを用いることができるが、これに限定されない。
ライナーフィルム２４：ＬＤＰＥ及び／又はＬＬＤＰＥ
キャップフィルム２２：約３０％のＨＤＰＥ、残りはＬＤＰＥ及び／又はＬＬＤＰＥ
バックフィルム２３：約３０％のＨＤＰＥ、残りはＬＤＰＥ及び／又はＬＬＤＰＥ
【００４７】
製造装置５は、三つのフラットダイ５１〜５３と、成形ロール５５と、三つの押圧ロール５６〜５８を備えている。
三つのフラットダイ５１〜５３は、それぞれ前述した樹脂材料を所定の厚みで押し出すことによって、フラット状のキャップフィルム２２、バックフィルム２３、及びライナーフィルム２４が連続的に供給される。
キャップフィルム用のフラットダイ５１から供給されたフラット状のキャップフィルム２２は、成形ロール５５に供給される。
成形ロール５５には、外周面に多数のキャビティ孔５５１が設けられている。
各キャビティ孔５５１は、図示しない真空ポンプにつながっており、キャビティ孔５５１を真空吸引することにより、キャップフィルム２２に中空状に膨出する多数のキャップ２１が形成される。
【００４８】
キャップ２１が形成されたキャップフィルム２２は、成形ロール５５と押圧ロール５６との間で、バックフィルム用のフラットダイ５２から供給されるバックフィルム２３と積層され、熱融着により一体化される。
その後、押圧ロール５７と押圧ロール５８との間で、ライナーフィルム用のフラットダイ５３から供給されるライナーフィルム２４が、キャップフィルム２２のキャップ膨出側に積層され、熱融着により一体化される。
これにより、収納袋１の製袋に用いる原反状態の積層気泡シート２が得られる。
【００４９】
図９は、本実施形態に係る収納袋１の製袋工程の一例を示す説明図である。
同図に示すように、収納袋１は、原反状態の積層気泡シート２が二つ折りにされ、収納袋１の両側部となる部分がシールバー６によりヒートシールされる。
その後、ヒートシール部分が切断されることにより製袋されて袋本体１１が出来上がる。
この袋本体１１に対して、袋本体表面の所定箇所に送り状貼付領域１３が設けられ、通気孔１４及び閉塞部１５が形成され、蓋部１２に蓋部貼着部１２ａが配設されて、収納袋１が完成する。
【００５０】
以上説明したように、本実施形態の収納袋によれば、収納袋の内部空間と外部とを連通する通気可能な通気孔が設けられているので、幼児等が過って収納袋をかぶった場合でも、その通気孔を通して呼吸経路が確保されるので、不測の事態を回避できる。
【００５１】
以上、本発明の収納袋の好ましい実施形態について説明したが、本発明に係る収納袋は上述した実施形態にのみ限定されるものではなく、本発明の範囲で種々の変更実施が可能であることは言うまでもない。
例えば、上述した実施形態においては、積層気泡シートからなる収納袋について説明したが、収納袋は、この構成に限るものではなく、例えば、積層気泡シートからなる袋体の表面に合成紙を貼着したものを収納袋とし、これに本発明を適用することもできる。
【００５２】
また、図１（ｂ）に示す収納袋では、送り状貼付領域や通気孔、閉塞部を、収納袋の背面側表面の中央よりやや下部に設けてあるが、それら送り状貼付領域等を設ける位置は、同図に示す位置に限るものではなく、例えば、収納袋の背面側表面の中央付近、中央より上部、収納袋の正面側表面などに設けることもできる。
さらに、上述した実施形態においては、通気孔や閉塞部を送り状によって覆い隠すこととしたが、これに限るものではなく、例えば、送り状以外に、専用のシールを用意し、このシールによって通気孔等を覆い隠すようにしてもよい。これにより、送り状を用いない場合（例えば、宛先等を直接収納袋に記入するような場合）でも、そのシールを用いて通気孔等を覆い隠すことができる。
【産業上の利用可能性】
【００５３】
本発明は、積層気泡シートを用いて形成される収納袋に適用され、特に、緩衝封筒のように所望の物品の収納・配送等に用いられる収納袋に好適であるが、緩衝封筒以外の収納袋にも広く用いることができる。
【符号の説明】
【００５４】
１  収納袋
２  積層気泡シート
２Ａ  二層気泡シート
２Ｂ  三層気泡シート
１１  袋本体
１１ａ  収納空間
１１ｂ  開口
１２  蓋部
１２ａ  蓋部貼着部
１３  送り状貼付領域
１４  通気孔
１５  閉塞部
１５ａ  切断部
１６  開封防止テープ（開封防止手段）
３１  ジッパー
３１ａ  切断部
３１ｂ  切除部
３２  切除用テープ
３３  粘着層
【図１】
2013184743.tif 000003
【図２】
2013184743.tif 000004
【図３】
2013184743.tif 000005
【図４】
2013184743.tif 000006
【図５】
2013184743.tif 000007
【図６】
2013184743.tif 000008
【図７】
2013184743.tif 000009
【図８】
2013184743.tif 000010
【図９】
2013184743.tif 000011